【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
通信の方法であって、
データの第1のブロックを符号化して、複数のビットを含む符号化データを生成するステップと、
前記複数のビットに関連付けられたビット位置についてのビットエラー確率に基づいて、パンクチャパターンを生成するステップと、
前記パンクチャパターンに従って、前記複数のビットからなる部分をパンクチャして、データの第2のブロックを生成するステップと、
前記複数のビットの前記パンクチャ済みの部分を記憶するステップと、
前記データの第2のブロックを含む第1の情報を送信するステップと、
別の送信が必要とされると判断するステップと、
前記複数のビットからなる前記記憶されたパンクチャ済みの部分を含む第2の情報を送信するステップであって、前記第2の情報は、前記判断の結果として送信される、ステップとを含む方法。
【請求項２】
前記パンクチャパターンの前記生成は、
第1の暫定パンクチャパターンから最後の暫定パンクチャパターンまで連続して、複数の暫定パンクチャパターンを生成するステップであって、前記暫定パンクチャパターンのうちのどの1つの中のパンクチャビットの量も、前記暫定パンクチャパターンのうちのどの他の1つの中のパンクチャビットの量とは異なる、ステップと、
前記最後の暫定パンクチャパターンを最終パンクチャパターンとして選択するステップとを含む、請求項1に記載の方法。
【請求項３】
前記最後の暫定パンクチャパターンの中のパンクチャビットの量は、前記暫定パンクチャパターンのうちのどの他の1つの中のパンクチャビットの量よりも大きい、請求項2に記載の方法。
【請求項４】
前記第1の暫定パンクチャパターンの前記生成は、
パンクチャビットについての複数の位置に基づいて、複数のブロックエラーレートを算出するステップと、
前記ブロックエラーレートのうちの最低ブロックエラーレートを識別するステップと、
前記最低ブロックエラーレートに基づいて前記第1の暫定パンクチャパターンを識別するステップとを含む、請求項2に記載の方法。
【請求項５】
前記パンクチャパターンの前記生成は、
第1の暫定パンクチャパターンを生成するステップと、
前記第1の暫定パンクチャパターンの前記生成の後で第2の暫定パンクチャパターンを生成するステップとを含み、
前記第1の暫定パンクチャパターンの前記生成は、
第1のノイズ分散を判断するステップと、
第1のパンクチャビットについての複数の位置に基づいて、複数の第1のブロックエラーレートを算出するステップであって、第1のブロックエラーレートの各々は、前記第1のノイズ分散に基づく、ステップとを含み、
前記第2の暫定パンクチャパターンの前記生成は、
前記第1のノイズ分散とは異なる第2のノイズ分散を判断するステップと、
第2のパンクチャビットについての複数の位置に基づいて、複数の第2のブロックエラーレートを算出するステップであって、第2のブロックエラーレートの各々は前記第2のノイズ分散に基づく、ステップとを含む、請求項1に記載の方法。
【請求項６】
前記パンクチャパターンの前記生成は、
第1の信号対ノイズ比の第1のノイズ分散を判断するステップと、
前記第1のノイズ分散に基づいて、前記ビットエラー確率の第1のサブセットを判断するステップと、
前記ビットエラー確率の前記第1のサブセットに基づいて、第1の暫定パンクチャパターンを生成するステップと、
前記第1の信号対ノイズ比とは異なる第2の信号対ノイズ比の第2のノイズ分散を判断するステップと、
前記第2のノイズ分散に基づいて、前記ビットエラー確率の第2のサブセットを判断するステップと、
前記第1の暫定パンクチャパターンおよび前記ビットエラー確率の前記第2のサブセットに基づいて、第2の暫定パンクチャパターンを生成するステップとを含む、請求項1に記載の方法。
【請求項７】
前記第1の暫定パンクチャパターンのための第1のブロックエラーレートが目標ブロックエラーレート以下になるまで暫定の第1の信号対ノイズ比を増大することによって、前記第1の信号対ノイズ比を判断するステップと、
前記第2の暫定パンクチャパターンのための第2のブロックエラーレートが前記目標ブロックエラーレート以下になるまで暫定の第2の信号対ノイズ比を増大することによって、前記第2の信号対ノイズ比を判断するステップとをさらに含む、請求項6に記載の方法。
【請求項８】
各ビットエラー確率の前記判断はガウス近似アルゴリズムまたは密度発展アルゴリズムのうちの1つに基づく、請求項6に記載の方法。
【請求項９】
前記パンクチャパターンの前記生成は、
複数の暫定パンクチャパターンを生成するステップと、
前記暫定パンクチャパターンに基づいて複数のブロックエラーレートを判断するステップと、
前記暫定パンクチャパターンのうちのある暫定パンクチャパターンを、前記ブロックエラーレートのうちの最低ブロックエラーレートに関連付けられているものとして識別するステップと、
前記識別された暫定パンクチャパターンを最終パンクチャパターンとして選択するステップとを含む、請求項1に記載の方法。
【請求項１０】
前記第2の情報の前記送信のための目標ブロックエラーレートを満たすために第1のコーディングレートを選択するステップをさらに含み、
前記データの第1のブロックの前記符号化は、前記第1のコーディングレートに基づく、請求項1に記載の方法。
【請求項１１】
ある時間期間にわたるチャネルの状態を判断するステップをさらに含み、
前記第1のコーディングレートは、前記チャネルの前記状態に基づいて選択される、請求項10に記載の方法。
【請求項１２】
前記第1の情報の前記送信のための目標ブロックエラーレートを満たすために第2のコーディングレートを選択するステップをさらに含み、
前記第1の情報は前記第2のコーディングレートに従って送信され、
前記第1の情報の前記送信のための前記目標ブロックエラーレートは、前記第2の情報の前記送信のための前記目標ブロックエラーレートとは異なる、請求項10に記載の方法。
【請求項１３】
前記第2の情報は、前記符号化データの少なくとも一部分をさらに含み、
前記方法は、前記第2の情報の前記送信のためのコーディングレートに基づいて、前記符号化データの前記少なくとも一部分についてのビットの量を判断するステップをさらに含む、請求項1に記載の方法。
【請求項１４】
前記第1の情報の前記送信のための第1のコーディングレートを前記第2の情報の前記送信のための第2のコーディングレートと比較するステップと、
前記比較に基づいて、前記符号化データの少なくとも一部分を前記第2の情報に含めるかどうかを判断するステップとをさらに含む、請求項1に記載の方法。
【請求項１５】
通信のための装置であって、
データの第1のブロックを符号化して、複数のビットを含む符号化データを生成するための手段と、
前記複数のビットに関連付けられたビット位置についてのビットエラー確率に基づいて、パンクチャパターンを生成するための手段と、
前記パンクチャパターンに従って、前記複数のビットからなる部分をパンクチャして、データの第2のブロックを生成するための手段と、
前記複数のビットの前記パンクチャ済みの部分を記憶するための手段と、
前記データの第2のブロックを含む第1の情報を送信するための手段と、
別の送信が必要とされると判断するための手段とを備え、
送信するための前記手段は、前記複数のビットからなる前記記憶されたパンクチャ済みの部分を含む第2の情報を送信するように構成され、前記第2の情報は、前記判断の結果として送信される、装置。
【請求項１６】
コンピュータ実行可能コードを記憶するコンピュータ可読記憶媒体であって、
データの第1のブロックを符号化して、複数のビットを含む符号化データを生成することと、
前記複数のビットに関連付けられたビット位置についてのビットエラー確率に基づいて、パンクチャパターンを生成することと、
前記パンクチャパターンに従って、前記複数のビットからなる部分をパンクチャして、データの第2のブロックを生成することと、
前記複数のビットの前記パンクチャ済みの部分を記憶することと、
前記データの第2のブロックを含む第1の情報を送信することと、
別の送信が必要とされると判断することと、
前記複数のビットからなる前記記憶されたパンクチャ済みの部分を含む第2の情報を送信することであって、前記第2の情報は、前記判断の結果として送信される、こととを行うためのコードを含む、コンピュータ可読記憶媒体。